(57)【要約】【課題】移動や塵埃排出時などに集塵タンクの取扱いが容易な電気掃除機を提供する。【解決手段】集塵タンク１と、複数の車輪と集塵タンク１を載置するための載置穴１２とペダルとを有するベース本体６と、を有し、載置穴１２には、集塵タンク１を載置穴１２に載置した状態で集塵タンク１をベース本体６に係止するための穴部１３と、集塵タンク１をベース本体６上方へ突出させるための連結部とが配置され、穴部１３と連結部は、ペダル８と接続されており、ペダル８が押下されると、穴部１３が集塵タンク１のベース本体６への係止を解除すると共に、連結部が集塵タンク１をベース本体６上方へ突出させる。【選択図】図３
2020096788.tif 000002
【特許請求の範囲】
【請求項１】
集塵タンクと、複数の車輪と前記集塵タンクを載置するための載置部とペダルとを有するベース本体と、を有し、
前記ベース本体は、前記集塵タンクを保持する保持機構を有し、前記ペダルの操作に応じて前記集塵タンクの前記ベース本体への保持を解除する、電気掃除機。
【請求項２】
前記ベース本体は、前記集塵タンクを前記ベース本体上方へ持上げる持上げ機構を有し、前記ペダルの操作に応じて、前記持上げ機構が作動し、前記集塵タンクを前記ベース本体から持上げる、請求項１に記載の電気掃除機。
【請求項３】
前記載置部は、前記集塵タンクを載置するための載置穴を有し、
前記保持機構は、前記集塵タンクを前記載置穴に載置した状態で前記集塵タンクを前記ベース本体に係止するための係止部材を有し、
前記係止部材と前記持上げ機構は前記ペダルと接続されており、前記ペダルが押下されると、前記係止部材による前記集塵タンクの前記ベース本体への係止が解除され、前記持上げ機構が前記集塵タンクを前記ベース本体の上方へ持上げる、請求項２に記載の電気掃除機。
【請求項４】
前記載置部は、前記集塵タンクを載置するための載置穴であり、
前記保持機構は、前記集塵タンクを前記載置穴に載置した状態で前記集塵タンクを前記ベース本体に係止するための係止部材を有し、
前記係止部材は先端が傾斜した斜面を有し、前記集塵タンクを前記載置部に載置する際に、前記集塵タンクが、前記斜面上を滑った後に前記載置部に載置される、請求項２に記載の電気掃除機。
【請求項５】
前記載置穴が形成された前記ベース本体には、複数の穴部が形成され、
前記係止部材は前記穴部から突出又は引っ込むように配置され、
前記ペダルが押下されると、前記係止部材が前記穴部から突出した状態から引っ込んだ状態に変化する、請求項３に記載の電気掃除機。
【請求項６】
前記係止部材は、前記載置穴の後方側に２つ配置され、前記載置穴の前方側に２つ配置されている、請求項５に記載の電気掃除機。
【請求項７】
前記持上げ機構は、連結軸を軸にして互いに接続した２つの連結部材を有し、前記ペダルが押下されると、前記連結軸を頂点として前記２つの連結部材が上方へ突出する、請求項２〜６のいずれか１項に記載の電気掃除機。
【請求項８】
前記連結軸と前記２つの連結部材は、前記載置穴に複数配置されている請求項７に記載の電気掃除機。
【請求項９】
前記連結軸は、前記２つの連結部材のうち、前記ペダルと接続されている連結部材側に設けられている、請求項８に記載の電気掃除機。
【請求項１０】
前記ペダルと接続されている連結部材側に設けられている前記連結軸は、もう一方の連結部材と前記連結軸が上方向に移動した際に当接する、請求項９に記載の電気掃除機。
【請求項１１】
前記ベース本体には、複数の嵌合凹部が形成され、前記集塵タンクの底面に設けられた複数の嵌合凸部と嵌合して載置される、請求項１に記載の電気掃除機。
【請求項１２】
前記複数の嵌合凹部の少なくとも一つの嵌合凹部の内径は、他の嵌合凹部の内径と異なる、請求項１１に記載の電気掃除機。
【請求項１３】
前記集塵タンクの底面に、締結部材を介してアース部材が取り付けられ、前記ベース本体に設けられた貫通穴を通して前記アース部材が床面に接触する、請求項１に記載の電気掃除機。
【発明の詳細な説明】
【技術分野】
【０００１】
本発明は、一般家庭で使用される電気掃除機に係り、特に電動送風機と集塵部を上下配置にし、電動送風機を内蔵した本体ユニットと集塵タンクとが着脱可能な電気掃除機に関するものである。
【背景技術】
【０００２】
従来のこの種の電気掃除機として、例えば特許文献１に記載の電気掃除機がある。
【０００３】
この電気掃除機は、走行用車輪を搭載した車輪ベースに集塵タンクをねじで係止した構造であり、更に、車輪ベース前方に把手を設け、使用者がこの把手を持ち集塵タンクと車輪ベースを傾斜させることにより、集塵タンク内のゴミを捨てることが可能である。
【先行技術文献】
【特許文献】
【０００４】
【特許文献１】特開２０１４−２２１１２９号公報
【発明の概要】
【発明が解決しようとする課題】
【０００５】
しかしながら上記特許文献１に記載された従来の電気掃除機では、ベース本体６と集塵タンクがねじで係止めされており、容易に外れないようにしている。このため、集塵タンク内のゴミを捨てる際には、使用者は車輪ベースも持つ必要があり、容易にゴミを捨てることができない。
【課題を解決するための手段】
【０００６】
本発明の電気掃除機は、集塵タンクと、複数の車輪と前記集塵タンクを載置するための載置部とペダルとを有するベース本体と、を有し、ベース本体は、集塵タンクを保持する保持機構を有し、ペダルの操作に応じて集塵タンクのベース本体への保持を解除する、電気掃除機である。
【０００７】
また、本発明の電気掃除機は、ベース本体は、集塵タンクをベース本体上方へ持上げる持上げ機構を有し、ペダルの操作に応じて、集塵タンクをベース本体から持上げる電気掃除機である。
【発明の効果】
【０００８】
本発明の電気掃除機は、ペダルを押下するだけで、集塵タンクのベース本体への係止を解除し、集塵タンクをベース本体から突出した状態とすることが可能であるため、使用者は容易に集塵タンクをベース本体から取り外すことが可能となり、容易に集塵タンク内のゴミを捨てることが可能である。また、集塵タンクをベース本体に装着した際には、引掛部が集塵タンクをベース本体に係止するため、集塵タンクがベース本体から容易に外れることを回避することが可能であり、安全性を確保することができる。
【図面の簡単な説明】
【０００９】
【図１】実施の形態１における電気掃除機の斜視図。
【図２】電気掃除機の分解斜視図。
【図３】電気掃除機の集塵タンクをベース本体から取り外した状態を示す斜視図。
【図４】ベース本体を下方から見た斜視図。
【図５】集塵タンクがベース本体に係止された状態での部分断面図。
【図６】集塵タンクがベース本体に係止された状態での部分断面図。
【図７】集塵タンクをベース本体から取り外した状態での上面図。
【図８】集塵タンクをベース本体から取り外した状態での部分断面図。
【図９】集塵タンクの斜視図。
【図１０】実施の形態２における電気掃除機の斜視図。
【図１１】実施の形態２における電気掃除機の斜視図。
【図１２】実施の形態２における電気掃除機の分解斜視図。
【図１３】実施の形態２における電気掃除機の集塵タンクをベース本体から取り外した状態を示す斜視図。
【図１４】実施の形態２における電気掃除機の正面図。
【図１５】実施の形態２における電気掃除機の部分断面図。
【図１６】変形例における電気掃除機の集塵タンクをベース本体から取り外した状態を示す斜視図。
【図１７】変形例における電気掃除機の集塵タンクをベース本体から取り外した状態を示す斜視図。
【図１８】実施の形態３における電気掃除機の集塵タンクをベース本体から取り外した状態を示す斜視図。
【図１９】実施の形態３におけるベース本体を下方から見た斜視図。
【図２０】実施の形態３におけるベースプレートの上方から見た斜視図。
【図２１】実施の形態３における左側連結部の詳細図。
【図２２】実施の形態３におけるベース本体を側方から見た部分断面図。
【図２３】実施の形態４における電気掃除機の集塵タンクをベース本体から取り外した状態での上面図。
【図２４】実施の形態４における集塵タンクを下方から見た斜視図。
【発明を実施するための形態】
【００１０】
以下、本発明の実施の形態について、図面を参照しながら説明する。なお、以下の説明では、同一または相当部分には同一符号を付し、重複する説明は省略する。また、本実施の形態によって、本発明が限定されるものではない。
【００１１】
第１の実施態様は、集塵タンクと、複数の車輪と前記集塵タンクを載置するための載置部とペダルとを有するベース本体と、を有し、前記ベース本体は、前記集塵タンクを保持する保持機構を有し、前記ペダルの操作に応じて前記集塵タンクの前記ベース本体への保持を解除する、電気掃除機である。
【００１２】
第２の実施態様は、前記ベース本体は、前記集塵タンクを前記ベース本体上方へ持上げる持上げ機構を有し、前記ペダルの操作に応じて、前記持上げ機構が作動し、前記集塵タンクを前記ベース本体から持上げる、電気掃除機である。
【００１３】
第３の実施態様は、前記載置部は、前記集塵タンクを載置するための載置穴を有し、前記保持機構は、前記集塵タンクを前記載置穴に載置した状態で前記集塵タンクを前記ベース本体に係止するための係止部材を有し、前記係止部材と前記持上げ機構は前記ペダルと接続されており、前記ペダルが押下されると、前記係止部材による前記集塵タンクの前記ベース本体への係止が解除され、前記持上げ機構が前記集塵タンクを前記ベース本体の上方へ持上げる、電気掃除機である。
【００１４】
第４の実施態様は、前記載置部は、前記集塵タンクを載置するための載置穴であり、前記保持機構は、前記集塵タンクを前記載置穴に載置した状態で前記集塵タンクを前記ベース本体に係止するための係止部材を有し、前記係止部材は先端が傾斜した斜面を有し、前記集塵タンクを前記載置部に載置する際に、前記集塵タンクが、前記斜面上を滑った後に
前記載置部に載置される、電気掃除機である。
【００１５】
第５の実施態様は、前記載置穴が形成されたベース本体には、複数の穴部が形成され、前記係止部材は前記穴部から突出又は引っ込むように配置され、前記ペダルが押下されると、前記係止部材が前記穴部から突出した状態から引っ込んだ状態に変化する、電気掃除機である。
【００１６】
第６の実施態様は、前記係止部材は、前記載置穴の後方側に２つ配置され、前記載置穴の前方側に２つ配置されている、電気掃除機である。
【００１７】
第７の実施態様は、前記持上げ機構は、連結軸を軸にして互いに接続した２つの連結部材を有し、前記ペダルが押下されると、前記連結軸を頂点として２つの連結部材が上方へ突出する、電気掃除機である。
【００１８】
第８の実施態様は、前記連結軸と前記２つの連結部材は、前記載置穴に複数配置されている電気掃除機である。
【００１９】
第９の実施態様は、前記連結軸は、前記２つの連結部材のうち、前記ペダルと接続されている連結部材側に設けられている電気掃除機である。
【００２０】
第１０の実施態様は、前記ペダルと接続されている連結部材側に設けられている前記連結軸は、もう一方の連結部材と前記連結軸が上方向に移動した際に当接する電気掃除機である。
【００２１】
第１１の実施態様は、前記ベース本体には、複数の嵌合凹部が形成され、前記集塵タンクの底面に設けられた複数の嵌合凸部と嵌合して載置される電気掃除機である。
【００２２】
第１２の実施態様は、前記複数の嵌合凹部の少なくとも一つの嵌合凹部の内径は、他の嵌合凹部の内径と異なる電気掃除機である。
【００２３】
第１３の実施態様は、前記集塵タンクの底面に、締結部材を介してアース部材が取り付けられ、前記ベース本体に設けられた貫通穴を通して前記アース部材が床面に接触する電気掃除機である。
【００２４】
（実施の形態１）
図１は、本発明の実施の形態１における電気掃除機の斜視図である。
【００２５】
図１の電気掃除機において、集塵タンク１は、前方にホース(図示せず)の端部が接続される吸気口部２を備え、集塵タンク１の左右側面には蓋部３を固定するためのクランプ４を備えている。
【００２６】
蓋部３は、電動送風機（図示せず）を内蔵し上面にハンドル５を有する。使用者はこのハンドル５を持つことにより、電気掃除機或いは集塵タンク１のみを移動させることが可能である。
【００２７】
集塵タンク１は、ベース本体６上に着脱可能に配置され、ベース本体６は複数の走行用車輪７を有する。走行用車輪７は、ベース本体６前方側に配置された車輪よりもベース本体６の後方側に配置された車輪の方が、車輪の直径が大きくなっている。
【００２８】
ベース本体６の後方にはペダル８が配置され、使用者がペダル８を踏むことにより、ベ
ース本体６と集塵タンク１との係止が解除され、ベース本体６から集塵タンク１が外れる。
【００２９】
ベース本体６の前方側は、延長管やノズル等を挿入するためのノズル挿入部９を有している。
【００３０】
使用者が電気掃除機を収納する際には、延長管やノズル等をノズル挿入部９に挿入した状態で収納することにより、延長管やノズル等を紛失することを回避できるだけでなく、電気掃除機本体と付属部品等をまとめて収納することができる。
【００３１】
図２は、本発明の実施の形態１における電気掃除機の分解斜視図である。
【００３２】
図２に示すように、蓋部３は、集塵タンク１内に臨む吸込開口１０を有し、内部に電動送風機(図示せず)を内蔵し、集塵タンク１内の空気を吸込開口１０から吸い込む。
【００３３】
金属製の集塵タンク１は、蓋部３内の電動送風機側に塵埃が侵入するのを阻止するためのフィルター１１を備えている。
【００３４】
図３は、集塵タンク１をベース本体６から取り外した時の状態を示す斜視図である。
【００３５】
図３に示すようにベース本体６は、集塵タンク１を載置するための載置穴１２を有しており、この載置穴１２に集塵タンク１が着脱可能に載置される。
【００３６】
ベース本体６の載置穴１２が形成された部分の下方側は、載置穴１２の中央に向かって突となっており、集塵タンク１を載置穴１２に載置した際に、この突部分が集塵タンク１を支えるようになっている。
【００３７】
また、この載置穴１２には、載置穴１２に集塵タンク１を載置した状態で、ベース本体６の内、集塵タンク１の側面下方と対向するベース本体６部分には複数の穴部１３が設けられている。この穴部１３から係止部材１４が突出又は引っ込むようになっている。
【００３８】
穴部１３は、ベース本体６の後方側に２つ設けられ、前方側に２つ設けられている。
【００３９】
集塵タンク１の下方底面近傍は、外方に向けて突となったアンダーカット形状となっている。係止部材１４は、このアンダーカット形状の部分の直上で集塵タンク１に係止するようになっている。
【００４０】
載置穴１２では、第１の連結部材１５ａと第２の連結部材１５ｂが連結軸１５ｃで連結されており、第３の連結部材１５ｄと第４の連結部材１５ｅが連結軸１５ｆで連結されている。尚、これら第１の連結部材１５ａと第２の連結部材１５ｂと連結軸１５ｃ、第３の連結部材１５ｄと第４の連結部材１５ｅと連結軸１５ｆを単に連結部と称する。
【００４１】
第１の連結部材１５ａと第２の連結部材１５ｂは、連結軸１５ｃを軸として上下に移動可能であり、第３の連結部材１５ｄと第４の連結部材１５ｅは、連結軸１５ｆを軸として上下に移動可能である。第１の連結部材１５ａと第３の連結部材１５ｄはペダル８と接続或いは一体形成されている。
【００４２】
使用者が、ペダル８を踏むことにより、第１の連結部材１５ａと第２の連結部材１５ｂが、連結軸１５ｃを軸として上に上がると共に、第３の連結部材１５ｄと第４の連結部材１５ｅが連結軸１５ｆを軸として上に上がる。また、同時に穴部１３の奥に係止部材１４
が引っ込む。このため、係止部材１４と集塵タンク１の係止が解除されるとともに、集塵タンク１が上方に持ち上がる。
【００４３】
図４は、ベース本体６を裏面側から見た斜視図である。
【００４４】
第１の連結部材１５ａはベース本体６の後方側にある一方の軸１６ａでベース本体６に対して回転可能に軸支されている。ペダル８が使用者により踏まれると、第１の連結部材１５ａはこの軸１６ａを軸にして上方に上がる。一方、第３の連結部材１５ｄもベース本体６の後方側にある片方の軸１６ａでベース本体６に対して回転可能に軸支されている。ペダル８が使用者により踏まれると、第３の連結部材１５ｄはこの軸１６ａを軸にして上方に上がる。
【００４５】
また、ベース本体６の前方側で、第２の連結部材１５ｂは、ベース本体６の前方側にある一方の軸１６ｂでベース本体６に対して回転可能に軸支されている。一方、ベース本体６の前方側で、第４の連結部材１５ｅは、ベース本体６の前方側にある片方の軸１６ｂでベース本体６に対して回転可能に軸支されている。
【００４６】
図５は、集塵タンク１がベース本体６に係止されたときのペダル８側の部分断面図である。図６は、集塵タンク１がベース本体６に係止されたときのベース本体６前方側の部分断面図である。
【００４７】
ペダル８と係止部材１４と第１の連結部材１５ａ及び第２の連結部材１５ｂは一体的に形成されている。尚、一体的ではなくてこれらの部品が連結された構造としても良い。
【００４８】
図５、図６に示すように、使用者がペダル８を踏んでいない状態では、穴部１３から係止部材１４が突出して、係止部材１４が集塵タンク１に係止している。
【００４９】
図７はベース本体６の平面図であり、図８は集塵タンク１をベース本体６に載置した状態における側面図である。但し、ベース本体６の部分のみ部分断面図となっている。
【００５０】
本実施の形態では、係止部材１４の端面を内方、かつ下方に向けて傾斜させた斜面１４ａを設けているので、塵埃を廃棄後、集塵タンク１をベース本体６に向けて押さえつけると、集塵タンク１の下端で係止部材１４の斜面１４ａが押さえられて係止部材１４が引っ込むため、使用者は容易に集塵タンク１をベース本体６に装着できることができる。
【００５１】
或いは、使用者がペダル８を踏むことにより、係止部材１４を穴部１３の奥に引っ込ませ、この状態で集塵タンク１を載置穴１２に載置し、続いて使用者がペダル８から足を離すと、係止部材１４が集塵タンク１の下方底面近傍部分のアンダーカット部分近傍に係止する。
【００５２】
次に、第１の実施形態の電気掃除機の使用例を以下に説明する。
【００５３】
使用者が、図１に示す集塵タンク１のクランプ４を外し、蓋部３上部に設けられたハンドル５を握り、蓋部３を集塵タンク１から取り外す。その後、図２に示すフィルター１１を集塵タンク１から取り外すと、図２に示すように、集塵タンク１内の塵埃が排出できる状態となる。
【００５４】
使用者は、集塵タンク１を塵埃廃棄場所へ移動する際、図８に示すように、ペダル８を踏むことにより係止部材１４が穴部１３の奥に引っ込み、集塵タンク１と係止部材１４との係止が解除されると共に連結軸１５ｃ（と連結軸１５ｆ）が集塵タンク１を上方に持ち
上げるため、使用者は集塵タンク１を取り外せる状態となる。使用者は、集塵タンク１をベース本体６から取り外し、塵埃廃棄場所へ移動させることができる。使用者は、集塵タンク１を塵埃廃棄場所へ移動させた後に、図９に示すように集塵タンク１を横に向けて、集塵タンク１内のゴミを捨てることができる。
【００５５】
（実施の形態２）
次に実施の形態２について説明する。図１０は実施の形態２の電気掃除機の斜視図である。図１０に示す電気掃除機は、ベース本体６の前方に、吸気口部１７を有する吸気口保持部１８を有し、後方に、後方の走行用車輪７の高さと略同じ高さ或いは、後方の走行用車輪７の高さよりも高さが高いベース後部１９を有している。
【００５６】
図１０に示すように、吸気口保持部１８の上方に吸気口部１７が配されているが、吸気口部１７は、吸気口保持部１８の略中央の高さ或いは下方の高さ位置に配置しても良い。
【００５７】
電気掃除機のベース本体６には大型の集塵タンク１を載置する必要があるため、集塵タンク１の転倒がなく安全にベース本体６が走行するためには、ベース本体６の重量バランスを十分考慮して設計する必要がある。
【００５８】
このため、実施の形態２では、ベース本体６の前方に吸気口保持部１８を設けると共に、ベース本体６の後方に走行用車輪７の高さと略同じ或いは高い高さを有するベース後部１９を設けることにより、ベース本体６の重量バランスをとっている。このような構造であるために、ベース本体６が安定して走行することができる。
【００５９】
また、図１０に示すようにベース本体６の前方側には、延長管やノズル等を挿入するためのノズル挿入部９を有している。
【００６０】
使用者が電気掃除機を収納する際には、延長管やノズル等をノズル挿入部９に挿入した状態で収納することにより、延長管やノズル等を紛失することを回避できるだけでなく、電気掃除機本体と付属部品等をまとめて収納することができる。更に、延長管やノズル等をノズル挿入部９に挿入した状態ではその重み分、ベース本体６の前方が重くなり、このことが先ほど述べたようなベース本体６の重量バランスを保つことに寄与することになる。
【００６１】
図１０に示すように、ベース本体６の側面はベース後部１９から前方側に向けて滑らかな曲線となっており、載置穴１２の開口部分の形状も同じように滑らかな曲線となっている。このような形状は、電気掃除機の美的外観の向上に寄与している。
【００６２】
図１１は、図１０に示す電気掃除機の斜め後方から見た斜視図である。
【００６３】
図１１において、ベース本体６の後方には溝部２０が形成されており、この溝部２０の下方にはペダル８が配されている。
【００６４】
この溝部２０が形成されていることにより、ベース後部１９の左右両側が前後方向の厚さがあり、ベース後部１９の中央側が前後方向の厚さが薄い形状となっている。このため、使用者がペダル８を踏んだ際にベース本体６の後方中央部分に力が加わっても、ベース後部１９の左右両側の重量があるため、ベース本体６の前方が浮き上がることをできるだけ回避することができる。
【００６５】
尚、本実施例では、溝部２０の下方にペダル８が位置する構成としているが、ペダル８が溝部２０の上下方向に移動する構成としても良い。例えば、使用者がペダル８を踏んで
いない状態では、スプリング等の弾性部材によりペダル８が溝部２０上方に位置し、使用者がペダル８を踏むと、弾性部材の力に抗してペダル８が溝部２０下方に移動する構成としても良い。
【００６６】
図１２は、図１１に示す電気掃除機の分解斜視図である。
【００６７】
図１２に示すように、蓋部３は、集塵タンク１内に臨む吸込開口１０を有し、内部に電動送風機(図示せず)を内蔵し、集塵タンク１内の空気を吸込開口１０から吸い込む。
【００６８】
金属製の集塵タンク１は、蓋部３内の電動送風機側に塵埃が侵入するのを阻止するためのフィルター１１を備えている。
【００６９】
図１３は、集塵タンク１をベース本体６から取り外した時の状態を示す斜視図である。
【００７０】
図１３に示すようにベース本体６は、集塵タンク１を載置するための載置穴１２を有しており、この載置穴１２に集塵タンク１が着脱可能に載置される。集塵タンク１をベース本体６に着脱するための構造は、実施の形態１の構成と同一であるため、説明を省略する。
【００７１】
図１４は、図１３に示す電気掃除機の正面図である。
【００７２】
図１５は、図１４に示す電気掃除機の吸気口保持部１８近傍の断面図である。
【００７３】
図１５に示すように、吸気口保持部１８にはパッキン２１が設けられており、このパッキンを介して、吸気口保持部１８と集塵タンク１の吸気口部２とが接続される。
【００７４】
このように、第２の実施例装置では、吸気口保持部１８がベース本体６側に形成されているため、使用者は、ホース等をベース本体側に形成された吸気口保持部１８の吸気口部１７に接続した状態で、集塵タンク１をベース本体６から外すことができる。
【００７５】
このため、ホースを集塵タンク１に接続する構成に比べて、集塵タンク１内の塵埃を捨てる際にホースが邪魔になることがなく、使用し易い電気掃除機を提供することができる。
【００７６】
（実施の形態３）
次に実施の形態３について説明する。
【００７７】
図１８は実施の形態３における電気掃除機の集塵タンク１をベース本体６から取り外した状態を示す斜視図である。
【００７８】
図１８に示すように、ベース本体６の載置穴１２には、ベースプレート２３及びリング状の台座部２４がベース本体６と一体に設けられている。
【００７９】
また、実施の形態１と同様に、載置穴１２には、載置穴１２に集塵タンク１を載置した状態で、ベース本体６の内、集塵タンク１の側面下方と対向するベース本体６部分には、穴部１３がベース本体６の後方側に２つ、前方側に２つ設けられている。この穴部１３から係止部材１４が突出又は引っ込むようになっている。
【００８０】
図１９は、実施の形態３における電気掃除機のベース本体６を裏面側から見た斜視図である。
【００８１】
図１９に示すように、ペダルアッシー２５がベースプレート２３の背面に取り付けられている。
【００８２】
図２０は、ベースプレート２３の上方から見た斜視図である。
【００８３】
ペダルアッシー２５では、第１の連結部材２６ａと第２の連結部材２６ｂが連結軸２６ｃで連結されており、第３の連結部材２６ｄと第４の連結部材２６ｅが連結軸２６ｆで連結されている。
【００８４】
第１の連結部材２６ａと第３の連結部材２６ｄはペダル８と接続或いは一体形成されている。
【００８５】
使用者が、ペダル８を踏むことにより、第１の連結部材２６ａと第２の連結部材２６ｂが、連結軸２６ｃを中心として上に上がると共に、第３の連結部材２６ｄと第４の連結部材２６ｅが連結軸２６ｆを軸として上に上がる。また、同時に穴部１３の奥に係止部材１４が引っ込む。このため、係止部材１４と集塵タンク１の係止が解除され、集塵タンク１を上方に持ち上げることができる。
【００８６】
図２１は、連結軸２６ｆ近傍の部分拡大斜視図である。
【００８７】
連結軸２６ｆは第３の連結部材２６ｄと一体に設けられている。
【００８８】
第４の連結部材２６ｅは連結軸２６ｆが上方向に移動した際に当接する係り部２６ｉを有し、下方向に移動した際には、連結軸２６ｆに当接しない逃げ部２６ｊを有している。
【００８９】
使用者が電気掃除機を操作中に、誤って前方方向の障害物に衝突させた場合、集塵タンク１が慣性力で前方の係止部材１４を押し込むことによって、図２２に示すように、第４の連結部材２６ｅが上に持ち上がる。この場合、第４の連結部材２６ｅは逃げ部２６ｊを有しているため、連結軸２６ｆは第４の連結部材２６ｅに当接しない。したがって、第３の連結部材２６ｄは上に持ち上がらず、よって後方の係止部材１４が穴部１３の奥に引っ込まないため、集塵タンク１がベース本体６から誤って外れることはない。
【００９０】
尚、連結軸２６ｃで連結されている第１の連結部材２６ａと第２の連結部材２６ｂにおいても、同様の機能を有しているため、その説明を省略する。
【００９１】
（実施の形態４）
次に実施の形態４について説明する。
【００９２】
図２３はベース本体６を上方から見た上面図である。
【００９３】
図２３に示すように、ベースプレート２３の中央部に貫通穴２９、ベースプレート２３の前後方向端部に略円形の同一内径を有する二つの嵌合凹部２７ａ、２７ｂ、台座部２４の左右方向端部に略半円形の同一内径を有する二つの嵌合凹部２７ｃ、２７ｄが設けられている。
【００９４】
嵌合凹部２７ｃ、２７ｄの内径は嵌合凹部２７ａ、２７ｂの内径より大きく形成されている。
【００９５】
図２４は、集塵タンク１の底部斜視図である。
【００９６】
図２４に示すように、集塵タンク１の底部には嵌合凸部２８ａ、２８ｂ、２８ｃ、２８ｄが前後左右方向に各々１か所ずつ設けられ、それぞれ嵌合凹部２７ａ，２７ｂ、２７ｃ、２７ｄに隙間なく嵌め込みが可能な外径で構成されているため、集塵タンク１をベース本体６にガタツキなく嵌合できる。
【００９７】
また、集塵タンク１の左右方向に設けられた嵌合凸部２８ｃ、２８ｄは台座部２４の左右方向に設けられた嵌合凹部２７ｃ、２７ｄとのみ嵌め込みが可能となり、集塵タンク１の吸気口部２が前後方向に向くように取り付けられることが可能となる。
【００９８】
尚、上記実施例では嵌合凹部と嵌合凸部は各々４か所としたが、２か所以上であれば、同様の効果が得られる。
【００９９】
集塵タンク１の底面には、締結部材３０を介してアース部材３１が取り付けられ、ベースプレート２３に設けられた貫通穴２９を通して、アース部材３１が床面に接触することで、集塵タンク１に帯電した静電気を除電している。
【０１００】
（変形例）
本実施例装置の電気掃除機の変形例について説明する。
【０１０１】
図１６は、本実施形態の電気掃除機の変形例である。例えば、集塵タンク１の上方前後側に使用者が持つための把手部２２を設けても良い。この把手部２２は、例えば集塵タンク１の左右側に設けても良く、集塵タンク１の縦方向における中央部分又は下方部分に設けても良い。
【０１０２】
図１７は、本実施形態の電気掃除機の変形例である。例えば、集塵タンク１の上方開口部分に、略半円状の把手部２２を設けても良い。
【０１０３】
本実施例では、第１の連結部材１５ａと第２の連結部材１５ｂが連結軸１５ｃで連結されており、第３の連結部材１５ｄと第４の連結部材１５ｅが連結軸１５ｆで連結されているが、集塵タンク１を上方に持ち上げる機構はこのような連結機構ではなく他の構成とすることも考えられる。
【０１０４】
例えば、軸支された断面が略Ｌ字状の部材が上下に移動する構成にし、この部材が集塵タンク１を持ち上げるような構造としても良い。
【０１０５】
本実施例装置では、吸気口部１７が吸気口保持部１８に固定されている構造であるが、吸気口部１７が上下方向に移動できる構造としても良い。このような構造とすることにより、大きさ（より詳細には高さ）の異なる集塵タンク１をベース本体６に載置することが可能となる。
【０１０６】
本実施例装置では、ペダル８をベース本体６の後方側に設けたが、ベース本体６の前方側に設けた構造としても良い。
【０１０７】
本実施例装置では、集塵タンク１の側面に吸気口部１７を設けたが、この吸気口部１７が上下方向に移動する構造としても良い。
【０１０８】
本実施例装置では、集塵タンク１の底面が塞がった構造となっているが、集塵タンク１の底面が開閉可能とする構造としても良い。
【０１０９】
後輪の走行用車輪７の軸の位置を、ペダル８よりも後方に配置する構造としても良い。
【産業上の利用可能性】
【０１１０】
以上のように、本発明に係る電気掃除機は特に家庭、業務用等の電気掃除機等に広く適用できる。
【符号の説明】
【０１１１】
１  集塵タンク
２  吸気口部
３  蓋部
４  クランプ
５  ハンドル
６  ベース本体
７  走行用車輪
８  ペダル
９  ノズル挿入部
１０  吸込開口
１１  フィルター
１２  載置穴
１３  穴部
１４  係止部材
１４ａ  斜面
１５ａ  第１の連結部材
１５ｂ  第２の連結部材
１５ｃ  連結軸
１５ｄ  第３の連結部材
１５ｅ  第４の連結部材
１５ｆ  連結軸
１６ａ、１６ｂ  軸
１７  吸気口部
１８  吸気口保持部
１９  ベース後部
２０  溝部
２１  パッキン
２２  把手部
２３  ベースプレート
２４  台座部
２５  ペダルアッシー
２６ａ  第１の連結部材
２６ｂ  第２の連結部材
２６ｄ  第３の連結部材
２６ｅ  第４の連結部材
２６ｃ、２６ｆ  連結軸
２６ｉ  係り部
２６ｊ  逃げ部
２７ａ、２７ｂ  嵌合凹部
２７ｃ、２７ｄ  嵌合凹部
２８ａ、２８ｂ  嵌合凸部
２８ｃ、２８ｄ  嵌合凸部
２９  貫通穴
３０  締結部材
３１  アース部材
【図１】
2020096788.tif 000003
【図２】
2020096788.tif 000004
【図３】
2020096788.tif 000005
【図４】
2020096788.tif 000006
【図５】
2020096788.tif 000007
【図６】
2020096788.tif 000008
【図７】
2020096788.tif 000009
【図８】
2020096788.tif 000010
【図９】
2020096788.tif 000011
【図１０】
2020096788.tif 000012
【図１１】
2020096788.tif 000013
【図１２】
2020096788.tif 000014
【図１３】
2020096788.tif 000015
【図１４】
2020096788.tif 000016
【図１５】
2020096788.tif 000017
【図１６】
2020096788.tif 000018
【図１７】
2020096788.tif 000019
【図１８】
2020096788.tif 000020
【図１９】
2020096788.tif 000021
【図２０】
2020096788.tif 000022
【図２１】
2020096788.tif 000023
【図２２】
2020096788.tif 000024
【図２３】
2020096788.tif 000025
【図２４】
2020096788.tif 000026